(57)【特許請求の範囲】
【請求項１】
浴室の洗い場の壁面に沿って洗い場カウンター用キャリアを取り付けると共にこの洗い場カウンター用キャリアの上に洗い場カウンターを載せて支持し、洗い場カウンターの後部の上方に壁面に沿って配管カウンター用キャリアを配置して配管カウンター用キャリアを壁面に固着すると共に配管カウンター用キャリア上に配管カウンターを載せて支持し、この配管カウンター用キャリアを配置する部分に対応する位置で洗い場カウンターの後部に上下に貫通する施工用の開口部を設けたことを特徴とする浴室のカウンター。
【請求項２】
配管カウンターを天板と前板とで構成し、配管カウンターの天板は洗い場カウンターの施工用の開口部から取り外し得る構造とし、配管カウンターの前板は配管カウンターの天板を取り外した後に上面の開口から取り外し得る構造にしたことを特徴とする請求項１記載の浴室のカウンター。
【請求項３】
配管カウンターには洗い場用カランが取り付けられると共に洗い場用カランに連接してシャワー用カランが立設されたパネルの下端部に取り付けられ、このパネルにはシャワー装置が設けられたことを特徴とする請求項１記載の浴室のカウンター。
【請求項４】
パネルは後方に設けた棚及び照明器具を覆って、間接照明するようにされたことを特徴とする請求項３記載の浴室のカウンター。
【発明の詳細な説明】
【０００１】
【発明の属する技術分野】
本発明は浴室の洗い場に設けるカウンターの構造に関するものである。
【０００２】
【従来の技術】
近年、浴室の洗い場に洗い場カウンターを装着し、洗い場カウンターの後部の上方に配管カウンターを装着し、配管カウンターに洗い場用カランを装着するような施工が行われている。
【０００３】
【発明が解決しようとする課題】
ところで、配管カウンターの裏側には配管を施してあるためにメンテナンス等のために配管カウンターを配管カウンター用キャリアに対して取り外したりする必要があるが、配管カウンターを取り外し得るように取り付けるためには配管カウンターの表面側からねじ具を螺入したりして取り付けなければならなく、配管カウンターを取り付けた状態でねじ具が外観上見えて外観が悪くなるという問題があった。
【０００４】
本発明は上記の点に鑑みてなされたものであり、ねじ具等が見えないように外観よく配管カウンターを取り付けることができると共にメンテナンス等も容易にできる浴室のカウンターを提供することを課題とするものである。
【０００５】
【課題を解決するための手段】
上記課題を解決するために本発明の請求項１の浴室のカウンターは、浴室１の洗い場２の壁面１３に沿って洗い場カウンター用キャリア１２を取り付けると共にこの洗い場カウンター用キャリア１２の上に洗い場カウンター３を載せて支持し、洗い場カウンター３の後部の上方に壁面１３に沿って配管カウンター用キャリア１５を配置して配管カウンター用キャリア１５を壁面１３に固着すると共に配管カウンター用キャリア１５上に配管カウンター４を載せて支持し、この配管カウンター用キャリア１５を配置する部分に対応する位置で洗い場カウンター３の後部に上下に貫通する施工用の開口部５を設けたことを特徴とする。洗い場カウンター用キャリア１２が位置する洗い場カウンター３の下から洗い場カウンター３の施工用の開口部５を介して配管カウンター用キャリア１５の部分に手を入れて配管カウンター４を取り付けるねじ具６等の着脱ができ、ねじ具６等が見えないように外観よく配管カウンター４を取り付けることができる。また配管カウンター４を裏側から取り付けてあっても、メンテナンス等のとき配管カウンター４を容易に取り外すことができる。
【０００６】
また本発明の請求項２の浴室のカウンターは、請求項１において、配管カウンター４を天板４ａと前板４ｂとで構成し、配管カウンター４の天板４ａは洗い場カウンター３の施工用の開口部５から取り外し得る構造とし、配管カウンター４の前板４ｂは配管カウンター４の天板４ａを取り外した後に上面の開口から取り外し得る構造にしたことを特徴とする。メンテナンス等のために配管カウンター４を取り外す場合、洗い場カウンター３の施工用の開口部５から手を配管カウンター４の裏側に入れて天板４ａを取り外し、次いで、天板４ａを取り外した上面の開口から手を入れて前板４ｂを取り外すことができ、配管カウンター４を裏側からねじ具６にて取り付けてあっても容易に取り外すことができる。
【０００７】
また本発明の請求項３の浴室のカウンターは、請求項１において、配管カウンター４には洗い場用カラン７が取り付けられると共に洗い場用カラン７に連接してシャワー用カラン８が立設されたパネル９の下端部に取り付けられ、このパネル９にはシャワー装置が設けられたことを特徴とする。配管カウンター４内の配管を洗い場用カラン７やシャワー用カラン８に容易に接続して給水や給湯ができる。
【０００８】
また本発明の請求項４の浴室のカウンターは、請求項３において、パネル９は後方に設けた棚１０及び照明器具１１を覆って、間接照明するようにされたことを特徴とする。間接照明することで豪華な外観にできる。
【０００９】
【発明の実施の形態】
洗い場カウンター４を支持する洗い場カウンター用キャリア１２は図２に示すように浴室１の洗い場２の壁面１３に沿って配置され、洗い場カウンター用キャリア１２の基部が壁面１３に木ねじのような固着具１４にて固着される。洗い場カウンター用キャリア１２を取り付けた後、洗い場カウンター用キャリア１２の上に奥行き幅の広い洗い場カウンター３が支持されるが、洗い場カウンター３は図３に示すように天板３ａと前幕板３ｂとで構成されている。洗い場カウンター用キャリア１２の上には天板３ａが載置され、洗い場カウンター用キャリア１２の下から天板３ａに化粧小ねじのようなねじ具６を螺入して天板３ａが固定される。洗い場カウンター用キャリア１２の前端には前幕板３ｂが配置され、前幕板３ｂを介して洗い場カウンター用キャリア１２に化粧小ねじのようなねじ具６を螺入して前幕板３ｂが取り付けられる。洗い場カウンター３の天板３ａの後部には上下に貫通する施工用の開口部５が切り欠き状に設けてある。
【００１０】
上記のように洗い場カウンター３を取り付けた後、図４に示すように洗い場カウンター３の天板３ａの後部の上方には壁面１３に沿って配管カウンター用キャリア１５が配置され、配管カウンター用キャリア１５の基部が壁面１３に木ねじのような固着具１４にて固着される。このように配管カウンター用キャリア１５を壁面１３に取り付けたとき、必要に応じて配管カウンター用キャリア１５に給水や給湯の配管が施される。配管カウンター用キャリア１５に支持される配管カウンター４は図１（ａ）に示すように天板４ａと前板４ｂとで形成されている。配管カウンター用キャリア１５の前面には前板４ｂが配置され、配管カウンター用キャリア４の上面開口から手を入れて配管カウンター用キャリア１５から化粧小ねじのようなねじ具６を前板４ｂに螺入して前板４ｂが取り付けられる。配管カウンター用キャリア４の上面の上には天板４ａが載置され、洗い場カウンター３の下方から施工用の開口部５を介して配管カウンター用キャリア１５内に手を入れ、図１（ｂ）に示すように配管カウンター用キャリア１５から天板４ａに化粧小ねじのようなねじ具６を螺入して天板４ａを取り付ける。配管カウンター４の前板４ｂには予め挿通孔１６が穿孔されている。
【００１１】
上記のように配管カウンター４を取り付けた後、図５に示すように配管カウンター４の上方の壁面１３には鏡受け金具１７がタッピングビスのような固着具１４にて固着される。また収納タワー用キャリア１８が配管カウンター４の端部に立設して取り付けられが、収納タワー用キャリア１８には予め複数枚の棚１０、取り付け片１９、ローラキャッチのようなキャッチ具２０が設けられている。収納タワー用キャリア１８は配管カウンター４の端部の上方で壁面１３に沿って配置され、棚１０及び取り付け片１９からタッピングビスのような固着具１４を壁面１３に打入して固着される。次いで図６に示すように鏡受け金具１７に鏡２１が取り付けられ、収納タワー用キャリア１８と平行になるように壁面１３に沿って配置した照明器具１１がビスのような固着具２２にて壁面１３に取り付けられている。配管カウンター用キャリア１５の上面には目隠しパネル２３が載置されて固定され、配管カウンター用キャリア１５の端面にはサイドパネル２４が配置され、配管カウンター用キャリア１５からサイドパネル２４に化粧小ねじのようなねじ具６を螺入してサイドパネル２４が取り付けられる。
【００１２】
図６に示すように施工した後、図７に示すように収納タワー用キャリア１８の前面側には収納タワーの前面を覆う前面パネル９が天板３ａの上面から収納タワー用キャリア１８の上端まで至るように配置され、棚１０及び取り付け片１９からタッピングビスのような固着具１４が前面パネル９に打入されて前面パネル９が取り付けられる。この前面パネル９の下部には挿通孔１６が予め穿孔されている。配管カウンター４の前板４ｂの挿通孔１６には洗い場用カラン７や操作部２５，２６が挿通して取り付けられ、前面パネル９の下部の挿通孔１６にはシャワー用カラン８や操作部２７が挿通して取り付けられている。シャワー用カラン８にはシャワー装置のシャワーホース２８が接続されている。前面パネル９を取り付け後、前面パネル９の前面側に垂直な支持バー２９が配置され、支持バー２９の上下端が小ねじような固着具１４にて前面パネル９に取り付けられる。この支持バー２９には保持具３０が上下位置調整自在に取り付けてあり、保持具３０にシャワー装置のシャワーホース２８の先端に設けたシャワーヘッドを着脱自在に保持できるようになっている。上記のように前面パネル９を取り付けた後、図８に示すように前面パネル９と壁面１３との間には半透明の照明カバー３１が配置され、照明カバー３１を取り付けることで照明器具１１が覆われる。照明カバー３１を取り付けるとき、照明カバー３１の下端はサイドパネル２４の上端のピン３２に照明カバー３１の下部を差し込んで固定され、照明カバー３１の上端は照明カバー３１の上部に設けたローラのような被キャッチ具３２をキャッチ具２０に係止することで固定される。
【００１３】
上記のように浴室のカウンター部分が施工されるが、配管等のメンテナンスのために配管カウンター４を取り外す場合は次のように行う。洗い場カウンター３の下方から施工用の開口部５を介して配管カウンター用キャリア１５内に手を入れ、ねじ具６を外して配管カウンター４の天板４ａを外し、天板４ａを外した後、天板４ａを外した上面の開口から手を入れてねじ具６を外して配管カウンター４の前板６ｂを取り外す。
【００１４】
【発明の効果】
本発明の請求項１の発明は、浴室の洗い場の壁面に沿って洗い場カウンター用キャリアを取り付けると共にこの洗い場カウンター用キャリアの上に洗い場カウンターを載せて支持し、洗い場カウンターの後部の上方に壁面に沿って配管カウンター用キャリアを配置して配管カウンター用キャリアを壁面に固着すると共に配管カウンター用キャリア上に配管カウンターを載せて支持し、この配管カウンター用キャリアを配置する部分に対応する位置で洗い場カウンターの後部に上下に貫通する施工用の開口部を設けたので、洗い場カウンター用キャリアが位置する洗い場カウンターの下から洗い場カウンターの施工用の開口部を介して配管カウンター用キャリアの部分に手を入れて配管カウンターを取り付けるねじ具等の着脱ができるものであって、ねじ具等が見えないように外観よく配管カウンターを取り付けることができるものであり、また配管カウンターを裏側から取り付けてあっても、メンテナンス等のとき配管カウンターを容易に取り外すことができるものである。
【００１５】
また本発明の請求項２の発明は、請求項１において、配管カウンターを天板と前板とで構成し、配管カウンターの天板は洗い場カウンターの施工用の開口部から取り外し得る構造とし、配管カウンターの前板は配管カウンターの天板を取り外した後に上面の開口から取り外し得る構造にしたので、メンテナンス等のために配管カウンターを取り外す場合、洗い場カウンターの施工用の開口部から手を配管カウンターの裏側に入れて天板を取り外し、次いで、天板を取り外した上面の開口から手を入れて前板を取り外すことができるものであって、配管カウンターを裏側からねじ具にて取り付けてあっても容易に取り外すことができるものである。
【００１６】
また本発明の請求項３の発明は、請求項１において、配管カウンターには洗い場用カランが取り付けられると共に洗い場用カランに連接してシャワー用カランが立設されたパネルの下端部に取り付けられ、このパネルにはシャワー装置が設けられたので、配管カウンター内の配管を洗い場用カランやシャワー用カランに容易に接続して給水や給湯ができるものである。
【００１７】
また本発明の請求項４の発明は、請求項３において、パネルは後方に設けた棚及び照明器具を覆って、間接照明するようにされたので、間接照明することで豪華な外観にできるものである。
【図面の簡単な説明】
【図１】（ａ）は本発明の施工途中の配管カウンターを取り付ける状態を示す分解斜視図、（ｂ）は（ａ）の要部の取り付けを説明する分解斜視図である。
【図２】同上の施工途中の洗い場カウンター用キャリアを取り付ける状態を示す一部分解斜視図である。
【図３】同上の施工途中の洗い場カウンターを取り付ける状態を示す分解斜視図である。
【図４】同上の施工途中の配管カウンター用キャリアを取り付ける状態を示す分解斜視図である。
【図５】同上の施工途中の収納タワーキャリアや鏡受け具を取り付ける状態を示す分解斜視図である。
【図６】同上の施工途中の照明器具等を取り付ける状態を示す分解斜視図である。
【図７】同上の施工途中の前面パネルを取り付ける状態を示す分解斜視図である。
【図８】同上の施工途中の照明カバーを取り付ける状態を示す分解斜視図である。
【符号の説明】
１  浴室
２  洗い場
３  洗い場カウンター
４  配管カウンター
４ａ  天板
４ｂ  前板
５  開口部
６  ねじ具
７  洗い場用カラン
８  シャワー用カラン
９  前面パネル
１０  棚
１１  照明器具
【図１】
0003591328.tif 000002
【図２】
0003591328.tif 000003
【図３】
0003591328.tif 000004
【図４】
0003591328.tif 000005
【図５】
0003591328.tif 000006
【図６】
0003591328.tif 000007
【図７】
0003591328.tif 000008
【図８】
0003591328.tif 000009